(57)【要約】      （修正有）【課題】被介護者のためのズボンであって、介護者の負担を最大限減らすことができ、かつ、被介護者が快適に着用することができるズボンを提供する。【解決手段】前部のウエスト１から裾２にかけて線ファスナー４を使用した開閉部３を有し、開閉部３はウエスト１から裾２までが完全に開閉する。すなわち、ウエスト１はファスナー開時の起点３１において、また、裾２は開時の終点３２において左右に分離し、ファスナー４を下ろしきった時点で、ズボンの前部が完全に解放される。着時には、前もって開閉部３を完全に開いて広げたズボンをベッドまたは車椅子上に敷き、その上に被介護者を座らせてから両脚のファスナー４を閉じる。脱時は、被介護者を座らせたまま、又は寝かせたまま、両脚のファスナー４を裾２まで下ろし、開閉部３を完全に開く。あとは開いたズボンを引けばズボンは下肢から離れる。【選択図】図３
0003192144.tif 000002
【実用新案登録請求の範囲】
【請求項１】
着脱に援助が必要な被介護者のためのズボンであって、
前部のウエストから裾にかけて開閉部を有し、
前記ウエストは前記開閉部の開時の起点において左右に分離して開き、
前記裾は開時の終点において左右に分離して開き、
ズボン前部が前記ウエストから前記裾にかけて完全に開放されることを特徴とするズボン。
【請求項２】
前記開閉部は線ファスナーにより開閉されることを特徴とする請求項１記載のズボン。
【考案の詳細な説明】
【技術分野】
【０００１】
本考案は、肢体不自由者又は被介護者が簡単に着脱できるズボンに関する。
【背景技術】
【０００２】
自発的にズボンを着用できない、又は着用するのが困難である肢体不自由者や被介護者（以後、まとめて「被介護者」という。）のズボンの着脱には介護者の援助が必要である。
【０００３】
手順としては、（１）被介護者の腰を持ち上げズボンのウエスト部分に足を通す、（２）裾口から補助の人が手を突っ込み足を引っ張り出す、（３）ウエスト部分を腰まで上げる。
【０００４】
被介護者の着脱を考慮したズボンとしては、股上部分や裾部分を開閉式としたものが市販されているが、ウエストから裾までを開閉可能としたものはない。
【先行技術文献】
【特許文献】
【０００５】
【特許文献１】特開２００８−１０６４０９号公報
【考案の概要】
【考案が解決しようとする課題】
【０００６】
介護人の負担を軽減すべくズボンの一部を開閉式にしたものはあるが、これをもってしても、被介護者の脚の出し入れに伴う看護者の負担は、さほど軽減されない。
【０００７】
この問題を解決すべく、特許文献１には、ウエストから裾まで完全に開くズボンの発明が開示されている。同発明に係る衣服は、開閉部の留め具として面ファスナーを一定間隔に設置している。しかしながら、一定間隔に配置された多くの面ファスナーの脱着には時間と注意力を要するうえ、面ファスナー間に隙間が多数できるため、低温の場所や風がある所では着用者に不快感が生じる。また、被介護者の動きによっては正確に結合していない部分の面ファスナーが外れやすい。同発明に係るズボンは主として、膀胱バルーンカテーテルなどが留置された病人の看護に都合よく作成されているため、面ファスナーを利用してウエストから裾までを全開としても問題は生じにくいと考えられるが、車椅子等により外出ができる程度の介護者の普段着としては上記理由により不適当である。
【０００８】
上述の問題に鑑み、本考案においては、寝たきりの老人から車椅子等により外出が可能な肢体不自由者までが広く使用できる被介護者のためのズボンであって、介護者の負担を最大限減らすことができ、かつ、被介護者が快適に着用することができるズボンを提供することを課題とする。
【課題を解決するための手段】
【０００９】
上記課題を解決するために、本考案に係る被介護者のためのズボンは、前部のウエストから裾にかけて線ファスナーを使用した開閉部を有し、該開閉部はウエストから裾までが完全に開閉する。すなわち、ウエストはファスナー開時の起点においてまた裾は開時の終点において左右に分離し、ファスナーを下ろしきった時点でズボンの前部が完全に解放される。
【００１０】
開閉部を閉じるときは、スライダーにファスナーの先端を差しこんで分離した裾を接合させ、スライダーをウエストまで上げる。ウエストのファスナー上止部分には、スライダーを被覆する短帯と止めボタンが設置されている。
【００１１】
着時には、前もってズボンの開閉部を完全に開いて広げたズボンをベッドまたは車椅子上に敷き、その上に被介護者を座らせてから両脚のファスナーを閉じる。
【００１２】
脱時は、被介護者を座らせたまま、又は寝かせたまま、両脚のファスナーを下ろし、開閉部を裾まで完全に開く。あとは開いたズボンを引っぱればズボンは下肢から離れる。  
【考案の効果】
【００１３】
ウエストから裾までの開閉部を全開することができるため、ベッド上又は車椅子上でのズボンの着脱が容易になり、介護者の負担が大きく減少する。
【００１４】
開閉部の留め具として線ファスナーを使用するため、面ファスナーのように着用時に接着部分が開いたり、隙間ができたりしてしまう心配がない。
【００１５】
開閉部の一部を開けることにより、カテーテル等の医療器具を差し込むことができるため、補助機材が取り付けられている患者の病床での着用も可能である。
【図面の簡単な説明】
【００１６】
【図１】ファスナーを閉じた状態のズボン全体の斜視図である。
【図２】ファスナーを途中まで開いたときのズボン全体の斜視図である。
【図３】ファスナーを裾まで開き、開閉部を全開したときのズボン全体の斜視図である。
【図４】座時にズボンの開閉部を全開した時のイメージ図である。
【考案を実施するための形態】
【００１７】
以下、本考案の実施形態について図を用いて説明する。
【００１８】
図１に示すように、本考案に係るズボンの特徴は、ウエスト１から裾２にかけて線ファスナー４を使用した開閉部３を有する。ファスナー４を下すと、ウエスト１は起点３１において分離するが（図２）、本実施形態においてはウエスト１の前部に、ファスナー４の上止を覆う形で短帯１１と止めボタン１２が設置されており（図１）、脱時には、まず、止めボタン１２を外してからファスナー４を下ろす。図２はファスナー４を途中まで下ろしたとき、また、図３はファスナー４を裾２まで下ろしたときのズボンを示す。
【００１９】
図３に示すように、下までファスナー４を下ろすと、裾はファスナー４の終点で分離し、ズボンの前部は完全に解放される。このため、被介護者にズボンをはかせるには、まず、完全に解放したズボンをベッド上あるいは車椅子上に敷き、臀部をズボン上に乗せてからファスナー４を上げる。脱時は、ファスナーを裾まで下ろして開閉部３を全開させてから、端を引っ張るだけでズボンを脱がせることができる。
【００２０】
図４は、椅子に座ったままズボンの着脱が可能であることを示すイメージ図である。ファスナー４を伴う開閉部３はズボンの前部に設置されているため、ベッド上で横になったり車いすに座ったりしたときにも、被介護者がベッドや支持棒によるファスナー４の身体への圧着によって不快感を持つことはない。
【００２１】
また、おむつの交換や下肢の医療行為が必要な被介護者の場合には、図２のようにファスナーを途中まで下ろして行うことができる。
【００２２】
以上、本考案の有する特徴及び優れた点を、上記実施形態に記載したが、本考案は、本考案の原理の範囲内で、本願の実用新案登録請求の範囲で使用されている言葉を広く一般的な意味にまで広げて実施することが可能である。特に開閉部の位置や、本実施形態においてはボタンを使用しているウエスト部分の留め具については、他の実施形態が可能であり、それらは本考案の技術的範囲に含まれるものと解する。
【符号の説明】
【００２３】
１    ウエスト
１１  短帯
１２  止めボタン
２    裾
３    開閉部
３１  開閉部起点
３２  開閉部終点
４    線ファスナー
５    スライダー
【図１】
0003192144.tif 000003
【図２】
0003192144.tif 000004
【図３】
0003192144.tif 000005
【図４】
0003192144.tif 000006